(57)【要約】【課題】  より正確に通信品質を示すアンテナバーを表示可能な無線通信端末を提供する。【解決手段】  アンテナ１１は電磁波を送受信し、共用器１２は送信ＲＦ信号と受信ＲＦ信号とを合成、分岐する。受信部１３は基地局から受信したＲＦ信号をディジタルデータに復元する。データ出力部１４は受信部１３で復元されたデータを出力する。データ入力部１５は送信するデータを入力し、送信部１６は送信しようとするデータを送信するのと同時に、計算したＣＱＩの値をＮＷに送信する。ＣＱＩ算出部１７は受信部１３が受信したＲＦ信号のＣＱＩを算出し、アンテナバー表示部１８は算出されたＣＱＩの値から電界強度をモニタ画面上に表示する。【選択図】      図１
2008085513.tif 000002
【特許請求の範囲】
【請求項１】
ＣＤＭＡ（Ｃｏｄｅ  Ｄｉｖｉｓｉｏｎ  Ｍｕｌｔｉｐｌｅ  Ａｃｃｅｓｓ）移動通信のＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信中においてＣＱＩ（Ｃｈａｎｎｅｌ  Ｑｕａｌｉｔｙ  Ｉｎｄｉｃａｔｏｒ）を算出する算出手段を含む無線通信端末であって、
前記算出手段で算出された前記ＣＱＩを用いて前記ＨＳＤＰＡ通信の通信品質を判定する判定手段と、前記判定手段で判定された前記通信品質のレベルに応じたアンテナバーを表示する表示手段とを有することを特徴とする無線通信端末。
【請求項２】
前記判定手段は、前記算出手段で算出された前記ＣＱＩを予め設定された複数の閾値と比較して前記ＨＳＤＰＡ通信の通信品質を判定することを特徴とする請求項１記載の無線通信端末。
【請求項３】
前記表示手段は、共通チャンネルＣＰＩＣＨ（Ｃｏｍｍｏｎ  Ｐｉｌｏｔ  Ｃｈａｎｎｅｌ）によるアンテナバー表示と、前記ＨＳＤＰＡ通信中の前記ＣＱＩによるアンテナバー表示とを同一画面領域に個別に表示することを特徴とする請求項１または請求項２記載の無線通信端末。
【請求項４】
前記表示手段は、共通チャンネルＣＰＩＣＨ（Ｃｏｍｍｏｎ  Ｐｉｌｏｔ  Ｃｈａｎｎｅｌ）によるアンテナバー表示と、前記ＨＳＤＰＡ通信中の前記ＣＱＩによるアンテナバー表示とを同一画面上に同時に表示することを特徴とする請求項１または請求項２記載の無線通信端末。
【請求項５】
ＣＤＭＡ（Ｃｏｄｅ  Ｄｉｖｉｓｉｏｎ  Ｍｕｌｔｉｐｌｅ  Ａｃｃｅｓｓ）移動通信のＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信中においてＣＱＩ（Ｃｈａｎｎｅｌ  Ｑｕａｌｉｔｙ  Ｉｎｄｉｃａｔｏｒ）を算出する算出手段を含む無線通信端末に用いるアンテナバー表示方法であって、
前記無線通信端末が、前記算出手段で算出された前記ＣＱＩを用いて前記ＨＳＤＰＡ通信の通信品質を判定する判定処理と、前記判定処理で判定された前記通信品質のレベルに応じたアンテナバーを表示する表示処理とを実行することを特徴とするアンテナバー表示方法。
【請求項６】
前記無線通信端末が、前記判定処理において、前記算出手段で算出された前記ＣＱＩを予め設定された複数の閾値と比較して前記ＨＳＤＰＡ通信の通信品質を判定することを特徴とする請求項５記載のアンテナバー表示方法。
【請求項７】
前記無線通信端末が、前記表示処理において、共通チャンネルＣＰＩＣＨ（Ｃｏｍｍｏｎ  Ｐｉｌｏｔ  Ｃｈａｎｎｅｌ）によるアンテナバー表示と、前記ＨＳＤＰＡ通信中の前記ＣＱＩによるアンテナバー表示とを同一画面領域に個別に表示することを特徴とする請求項５または請求項６記載のアンテナバー表示方法。
【請求項８】
前記無線通信端末が、前記表示処理において、共通チャンネルＣＰＩＣＨ（Ｃｏｍｍｏｎ  Ｐｉｌｏｔ  Ｃｈａｎｎｅｌ）によるアンテナバー表示と、前記ＨＳＤＰＡ通信中の前記ＣＱＩによるアンテナバー表示とを同一画面上に同時に表示することを特徴とする請求項５または請求項６記載のアンテナバー表示方法。
【請求項９】
ＣＤＭＡ（Ｃｏｄｅ  Ｄｉｖｉｓｉｏｎ  Ｍｕｌｔｉｐｌｅ  Ａｃｃｅｓｓ）移動通信のＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信中においてＣＱＩ（Ｃｈａｎｎｅｌ  Ｑｕａｌｉｔｙ  Ｉｎｄｉｃａｔｏｒ）を算出する算出手段を含む無線通信端末が実行するプログラムであって、
前記無線通信端末の中央処理装置に、前記算出手段で算出された前記ＣＱＩを用いて前記ＨＳＤＰＡ通信の通信品質を判定する判定処理と、前記判定処理で判定された前記通信品質のレベルに応じたアンテナバーを表示する表示処理とを実行させるためのプログラム。
【発明の詳細な説明】
【技術分野】
【０００１】
本発明は無線通信端末及びそれに用いるアンテナバー表示方法並びにそのプログラムに関し、特にＣＤＭＡ（Ｃｏｄｅ  Ｄｉｖｉｓｉｏｎ  Ｍｕｌｔｉｐｌｅ  Ａｃｃｅｓｓ）移動体通信等に用いられる無線通信端末における通信品質を示すアンテナバーの表示方法に関する。
【背景技術】
【０００２】
従来、ＣＤＭＡ移動体通信では、通常、ＣＰＩＣＨ（Ｃｏｍｍｏｎ  Ｐｉｌｏｔ  Ｃｈａｎｎｅｌ）のＲＳＣＰ（Ｒｅｃｅｉｖｅｄ  Ｓｉｇｎａｌ  Ｃｏｄｅ  Ｐｏｗｅｒ）やＥｃ／Ｎｏ（Ｒａｔｉｏ  ｏｆ  ｅｎｅｒｇｙ  ｐｅｒ  ｍｏｄｕｌａｔｉｎｇ  ｂｉｔ  ｔｏ  ｔｈｅ  ｎｏｉｓｅ  ｓｐｅｃｔｒａｌ  ｄｅｎｓｉｔｙ）を測定し、その測定結果によってアンテナバーを表示している。
【０００３】
無線通信端末（ＵＥ：Ｕｓｅｒ  Ｅｑｕｉｐｍｅｎｔ）はＤＬ（Ｄｏｗｎｌｉｎｋ）の受信品質に基づき、ＣＱＩ（Ｃｈａｎｎｅｌ  Ｑｕａｌｉｔｙ  Ｉｎｄｉｃａｔｏｒ）を基地局に送信して無線リソースを要求する。ＣＱＩは１〜３０のレンジを持ち、ＮＷ（Ｎｅｔｗｏｒｋ）は無線通信端末のカテゴリ毎の変換表によって無線リソースを決定する。
【０００４】
無線リソースとはＴＢ（Ｔｒａｎｓｐｏｒｔ  Ｂｌｏｃｋ）  ｓｉｚｅ、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）の個数、変調方式、Ｒｅｆｅｒｅｎｃｅ  ＣｈａｎｎｅｌとのＰｏｗｅｒ  ｏｆｆｓｅｔ、ｖｉｒｔｕａｌ  ＩＲ（Ｉｎｆｒａｒｅｄ）  ｂｕｆｆｅｒ、ＩＱ  ｓｙｍｂｏｌの配置方法等である。
【０００５】
無線通信端末はＢＬＥＲ（Ｂｌｏｃｋ  Ｅｒｒｏｒ  Ｒａｔｅ）が１０％以上にならないようにＣＱＩを計算する。これらのように、ＣＱＩがＨＳＤＰＡ（Ｈｉｇｈ  Ｓｐｅｅｄ  Ｄｏｗｎｌｉｎｋ  Ｐａｃｋｅｔ  Ａｃｃｅｓｓ）の通信品質の重要な値となっており、通信品質を表すパラメータとして利用価値が高い（例えば、非特許文献１参照）。
【０００６】
尚、アンテナバーを用いて通信品質を表示する方法としては、以下の特許文献１〜４に記載された方法がある。
【特許文献１】特開平９−１３５２０３
【特許文献２】特開２００２−２７５４２
【特許文献３】特開２００４−１２８９７６
【特許文献４】特開２００４−３４９８９７
【非特許文献１】“Ｐｈｙｓｉｃａｌ  ｌａｙｅｒ  ｐｒｏｃｅｄｕｒｅｓ（ＦＤＤ）  ６Ａ．２  Ｃｈａｎｎｅｌ  ｑｕａｌｉｔｙ  ｉｎｄｉｃａｔｏｒ（ＣＱＩ）  ｄｅｆｉｎｉｔｉｏｎ”［３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ２５．２１４  Ｖ６．６．０（２００５−０６）］
【発明の開示】
【発明が解決しようとする課題】
【０００７】
上述した従来の無線通信端末における通信品質の表示方法では、ＣＰＩＣＨが共通チャンネルであり、実際に通信を行っているチャンネルではないため、実際の通信品質を表しているわけではない。そのため、従来の通信品質の表示方法では、正確に通信品質を示すアンテナバーの表示を行うことができない。
【０００８】
そこで、本発明の目的は上記の問題点を解消し、より正確に通信品質を示すアンテナバーを表示することができる無線通信端末及びそれに用いるアンテナバー表示方法並びにそのプログラムを提供することにある。
【課題を解決するための手段】
【０００９】
本発明による無線通信端末は、ＣＤＭＡ（Ｃｏｄｅ  Ｄｉｖｉｓｉｏｎ  Ｍｕｌｔｉｐｌｅ  Ａｃｃｅｓｓ）移動通信のＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信中においてＣＱＩ（Ｃｈａｎｎｅｌ  Ｑｕａｌｉｔｙ  Ｉｎｄｉｃａｔｏｒ）を算出する算出手段を含む無線通信端末であって、
前記算出手段で算出された前記ＣＱＩを用いて前記ＨＳＤＰＡ通信の通信品質を判定する判定手段と、前記判定手段で判定された前記通信品質のレベルに応じたアンテナバーを表示する表示手段とを実行している。
【００１０】
本発明によるアンテナバー表示方法は、ＣＤＭＡ（Ｃｏｄｅ  Ｄｉｖｉｓｉｏｎ  Ｍｕｌｔｉｐｌｅ  Ａｃｃｅｓｓ）移動通信のＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信中においてＣＱＩ（Ｃｈａｎｎｅｌ  Ｑｕａｌｉｔｙ  Ｉｎｄｉｃａｔｏｒ）を算出する算出手段を含む無線通信端末に用いるアンテナバー表示方法であって、
前記無線通信端末が、前記算出手段で算出された前記ＣＱＩを用いて前記ＨＳＤＰＡ通信の通信品質を判定する判定処理と、前記判定処理で判定された前記通信品質のレベルに応じたアンテナバーを表示する表示処理とを実行している。
【００１１】
本発明によるプログラムは、ＣＤＭＡ（Ｃｏｄｅ  Ｄｉｖｉｓｉｏｎ  Ｍｕｌｔｉｐｌｅ  Ａｃｃｅｓｓ）移動通信のＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信中においてＣＱＩ（Ｃｈａｎｎｅｌ  Ｑｕａｌｉｔｙ  Ｉｎｄｉｃａｔｏｒ）を算出する算出手段を含む無線通信端末が実行するプログラムであって、
前記無線通信端末の中央処理装置に、前記算出手段で算出された前記ＣＱＩを用いて前記ＨＳＤＰＡ通信の通信品質を判定する判定処理と、前記判定処理で判定された前記通信品質のレベルに応じたアンテナバーを表示する表示処理とを実行させている。
【００１２】
すなわち、本発明の無線通信端末は、ＣＤＭＡ（Ｃｏｄｅ  Ｄｉｖｉｓｉｏｎ  Ｍｕｌｔｉｐｌｅ  Ａｃｃｅｓｓ）移動通信のＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信中において、ＣＱＩ（Ｃｈａｎｎｅｌ  Ｑｕａｌｉｔｙ  Ｉｎｄｉｃａｔｏｒ）を計算する手段と、その計算されたＣＱＩを用いて通信品質を判定する手段と、判定された通信品質のレベルに応じてアンテナバーとして表示する手段とを有している。
【００１３】
また、本発明の無線通信端末は、共通チャンネルＣＰＩＣＨ（Ｃｏｍｍｏｎ  Ｐｉｌｏｔ  Ｃｈａｎｎｅｌ）によるアンテナバー表示と、ＨＳＤＰＡ通信中のＣＱＩによるアンテナバー表示とを同時に行っている。
【００１４】
本発明の無線通信端末では、ＣＤＭＡ移動体通信のＨＳＤＰＡ通信中にＣＱＩを測定していることに着目し、その測定結果に応じてアンテナバーの表示を行わせている。
【００１５】
このようにして、本発明の無線通信端末では、待ち受け中は従来通り、共通チャンネルＣＰＩＣＨのＲＳＣＰ（Ｒｅｃｅｉｖｅｄ  Ｓｉｇｎａｌ  Ｃｏｄｅ  Ｐｏｗｅｒ）やＥｃ／Ｎｏ（Ｒａｔｉｏ  ｏｆ  ｅｎｅｒｇｙ  ｐｅｒ  ｍｏｄｕｌａｔｉｎｇ  ｂｉｔ  ｔｏ  ｔｈｅ  ｎｏｉｓｅ  ｓｐｅｃｔｒａｌ  ｄｅｎｓｉｔｙ）を測定し、その測定結果に基づいてアンテナバー表示を行い、ＨＳＤＰＡ通信中は実際に通信を行っているＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）の品質を測定しているＣＱＩを用いてアンテナバー表示を行うことによって、より正確に通信品質のアンテナバー表示を行うことが可能となる。
【００１６】
つまり、本発明の無線通信端末では、ＣＤＭＡ移動体通信のＨＳＤＰＡにおいて、ＨＳＤＰＡ通信中に算出するＣＱＩの値をアンテナバー表示に利用することによって、現在の通信品質を今までの技術より、より正確に表示することが可能となる。
【００１７】
より具体的に説明すると、本発明の無線通信端末では、ＣＤＭＡ移動体通信のＨＳＤＰＡエリアにおいてパケット（Ｐａｃｋｅｔ）通信を行うと、ＨＳＤＰＡが起動し、ＮＷ（Ｎｅｔｗｏｒｋ）に対して無線リソースを要求するために、受信品質に基づいてＣＱＩ値を算出し、ＮＷに送信する。
【００１８】
本発明の無線通信端末では、算出したＣＱＩの値と予め設定した第１の閾値Ａとを比較し、“ＣＱＩ≧Ａ”を満たした場合、通信品質の最上位を示すアンテナバー３をモニタ画面上に表示する。続いて、本発明の無線通信端末では、算出したＣＱＩの値と第１の閾値Ａ及び予め設定した第２の閾値Ｂとを比較し、“Ｂ≦ＣＱＩ＜Ａ”を満たした場合、通信品質の２番目の上位を示すアンテナバー２をモニタ画面上に表示する。
【００１９】
さらに、本発明の無線通信端末では、算出したＣＱＩの値と第２の閾値Ｂ及び予め設定した第３の閾値Ｃとを比較し、“Ｃ≦ＣＱＩ＜Ｂ”を満たした場合、通信品質の３番目の上位を示すアンテナバー１をモニタ画面上に表示する。さらにまた、本発明の無線通信端末では、“ＣＱＩ＜Ｃ”を満たした場合、通信品質の最下位を示すアンテナバー０をモニタ画面上に表示する。
【００２０】
上記のように、実際に通信を行っているＨＳ−ＰＤＳＣＨを測定して計算を行っているＣＱＩの値を用いてアンテナバー表示を行う方が、従来の共通チャンネルの電界強度を用いたアンテナバー表示よりも、より実際の通信品質に合った表示を行うことが可能となる。ここで、通信品質が高いということは、高速なデータ通信が可能であり、通信品質が低いということは低速のデータ通信しか実施できない状態を意味する。
【発明の効果】
【００２１】
本発明は、上記のような構成及び動作とすることで、より正確に通信品質を示すアンテナバーを表示することができるという効果が得られる。
【発明を実施するための最良の形態】
【００２２】
次に、本発明の実施例について図面を参照して説明する。
【実施例１】
【００２３】
図１は本発明の一実施例による無線通信端末の送受信回路の構成例を示すブロック図である。図１において、無線通信端末の送受信回路１は、アンテナ１１と、共用器（Ｄｕｐｌｅｘｅｒ）１２と、受信部１３と、データ出力部１４と、データ入力部１５と、送信部１６と、ＣＱＩ（Ｃｈａｎｎｅｌ  Ｑｕａｌｉｔｙ  Ｉｎｄｉｃａｔｏｒ）算出部１７と、アンテナバー表示部１８とから構成されている。
【００２４】
アンテナ１１は電磁波を送受信し、共用器１２は送信ＲＦ（Ｒａｄｉｏ  Ｆｒｅｑｕｅｎｃｙ）信号と受信ＲＦ信号とを合成、分岐する。受信部１３は基地局（図示せず）から受信したＲＦ信号をディジタルデータに復元する。データ出力部１４は受信部１３で復元されたデータを出力する。
【００２５】
データ入力部１５は送信するデータを入力し、送信部１６は送信しようとするデータを送信するのと同時に、計算したＣＱＩの値をＮＷ（Ｎｅｔｗｏｒｋ）（図示せず）に送信する。ＣＱＩ算出部１７は受信部１３が受信したＲＦ信号のＣＱＩを算出し、アンテナバー表示部１８は算出されたＣＱＩの値から電界強度をモニタ画面（図示せず）上に表示する。
【００２６】
図２は本発明の一実施例によるアンテナバーの表示を示す図である。図２（ａ）は通信品質が良好であること（通信品質の最上位）を示すアンテナバー３の表示例を表しており、図２（ｂ）は通信品質が普通であること（通信品質の２番目の上位）を示すアンテナバー２の表示例を表しており、図２（ｃ）は通信品質が悪いこと（通信品質の３番目の上位）を示すアンテナバー１の表示例を表しており、図２（ｄ）は通信品質がとても悪いこと（通信品質の最下位）を示すアンテナバー０の表示例を表している。
【００２７】
図３は本発明の一実施例において電界強度をモニタ画面上に表示した様子を示す図である。図３において、無線通信端末１０のモニタ画面１９上には、通信品質が悪いアンテナバー１の時のアンテナバーアイコン２０が表示されている。
【００２８】
図４は本発明の一実施例による無線通信端末１０の動作を示すフローチャートである。これら図１〜図４を参照して本発明の一実施例による無線通信端末１０の動作について説明する。尚、図４に示す処理動作は無線通信端末１０のＣＰＵ（図示せず）がプログラムを実行することでも実現可能である。また、以下の説明では、アンテナバーアイコン２０をモニタ画面１９上に表示する時の処理動作について説明する。
【００２９】
無線通信端末１０の送受信回路１はＨＳＤＰＡ（Ｈｉｇｈ  Ｓｐｅｅｄ  Ｄｏｗｎｌｉｎｋ  Ｐａｃｋｅｔ  Ａｃｃｅｓｓ）エリア内でパケット（Ｐａｃｋｅｔ）の通信を開始した時にＨＳＤＰＡ通信を開始する（図４ステップＳ１）。送受信回路１はＨＳＤＰＡ通信中に、ＣＱＩ算出部１７にて無線リソースの要求項目であるＣＱＩの値を計算する（図４ステップＳ２）。
【００３０】
ＣＱＩ算出部１７は受信部１３が受信したＲＦ信号のＣＱＩを算出する。そして、アンテナバー表示部１８はＣＱＩ算出部１７で算出されたＣＱＩの一定時間（例えば、１秒）の平均値を計算し、その値から次の通り、電界強度をモニタ画面１９上に表示する。
【００３１】
送受信回路１のアンテナバー表示部１８はＣＱＩ算出部１７にて計算されたＣＱＩの値と予め設定された第１の閾値Ａとを比較し、“ＣＱＩ≧Ａ”を満たした場合（図４ステップＳ３）、通信品質が良好であること（通信品質の最上位）を示すアンテナバー３をモニタ画面１９上に表示する［図２（ａ）参照］（図４ステップＳ４）。
【００３２】
“ＣＱＩ≧Ａ”を満たさない場合（図４ステップＳ３）、アンテナバー表示部１８はＣＱＩ算出部１７にて計算されたＣＱＩの値と第１の閾値Ａ及び予め設定された第２の閾値Ｂとを比較し、“Ｂ≦ＣＱＩ＜Ａ”を満たした場合（図４ステップＳ５）、通信品質が普通であること（通信品質の２番目の上位）を示すアンテナバー２をモニタ画面１９上に表示する［図２（ｂ）参照］（図４ステップＳ６）。
【００３３】
“Ｂ≦ＣＱＩ＜Ａ”を満たさない場合（図４ステップＳ５）、アンテナバー表示部１８はＣＱＩ算出部１７にて計算されたＣＱＩの値と第２の閾値Ｂ及び予め設定された第３の閾値Ｃとを比較し、“Ｃ≦ＣＱＩ＜Ｂ”を満たした場合（図４ステップＳ７）、通信品質が悪いこと（通信品質の３番目の上位）を示すアンテナバー１をモニタ画面１９上に表示する［図２（ｃ）参照］（図４ステップＳ８）。
【００３４】
“Ｃ≦ＣＱＩ＜Ｂ”を満たさない場合（図４ステップＳ７）、アンテナバー表示部１８はＣＱＩ算出部１７にて計算されたＣＱＩの値と第３の閾値Ｃとを比較し、“ＣＱＩ＜Ｃ”を満たした場合（図４ステップＳ９）、通信品質がとても悪いこと（通信品質の最下位）を示すアンテナバー０をモニタ画面１９上に表示する［図２（ｄ）参照］（図４ステップＳ１０）。
【００３５】
このように、本実施例では、実際に通信を行っていない共通チャンネルであるＣＰＩＣＨ（Ｃｏｍｍｏｎ  Ｐｉｌｏｔ  Ｃｈａｎｎｅｌ）の電界測定結果ＲＳＣＰ（Ｒｅｃｅｉｖｅｄ  Ｓｉｇｎａｌ  Ｃｏｄｅ  Ｐｏｗｅｒ）やＥｃ／Ｎｏ（Ｒａｔｉｏ  ｏｆ  ｅｎｅｒｇｙ  ｐｅｒ  ｍｏｄｕｌａｔｉｎｇ  ｂｉｔ  ｔｏ  ｔｈｅ  ｎｏｉｓｅ  ｓｐｅｃｔｒａｌ  ｄｅｎｓｉｔｙ）を用いてアンテナバーをモニタ画面上に表示するよりも、実際に通信を行っているＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）を測定しているＣＱＩを利用することによって、より正確に通信品質を示すアンテナバーを表示することができる。
【実施例２】
【００３６】
図５は本発明の他の実施例において電界強度をモニタ画面上に表示した様子を示す図である。本実施例はＣＤＭＡ移動体通信のＨＳＤＰＡ中のみに効果があるので、図５に示すように、無線通信端末１０のモニタ画面１９上に共通チャンネルＣＰＩＣＨによって通信品質を表すアンテナバーアイコン２０の他に、ＨＳＤＰＡのデータ通信品質を表すアイコン２１を表示させても良い。
【００３７】
これによって、本実施例では、ＣＰＩＣＨによって通信品質を表すアンテナバーアイコン２０と、ＨＳＤＰＡのデータ通信品質を表すアイコン２１とを同時に見ることができる。
【００３８】
また、本実施例では、共通チャンネルＣＰＩＣＨによるアンテナバー本数と、ＨＳＤＰＡ通信中のＣＱＩによるアンテナバー本数とを切り替えて表示させても良い。例えば、通信品質が悪い方を用いるようにすると、ＣＰＩＣＨによるアンテナバー本数が２本、ＣＱＩによるアンテナバー本数を３本であった時、実際に表示するのはアンテナバー２本という具合である。
【００３９】
尚、上記の各実施例では、アンテナバーの本数を４パターンで説明しているが、このアンテナバーの最大本数は特に限定しない。また、アンテナバーの本数を色で表現したり、形を変えて表現したりすることも可能であるが、これらには特に限定されない。
【産業上の利用可能性】
【００４０】
本発明は、ＣＤＭＡ移動体通信のＨＳＤＰＡ通信中におけるＣＱＩを用いたアンテナバー表示が可能な携帯電話機やＰＤＡ（Ｐｅｒｓｏｎａｌ  Ｄｉｇｉｔａｌ  Ａｓｓｉｓｔａｎｔｓ）等の無線通信端末に適用可能である。
【図面の簡単な説明】
【００４１】
【図１】本発明の一実施例による無線通信端末の送受信回路の構成例を示すブロック図である。
【図２】（ａ）〜（ｄ）は本発明の一実施例によるアンテナバーの表示を示す図である。
【図３】本発明の一実施例において電界強度をモニタ画面上に表示した様子を示す図である。
【図４】本発明の一実施例による無線通信端末の動作を示すフローチャートである。
【図５】本発明の他の実施例において電界強度をモニタ画面上に表示した様子を示す図である。
【符号の説明】
【００４２】
１  無線通信端末の送受信回路
１０  無線通信端末
１１  アンテナ
１２  共用器（Ｄｕｐｌｅｘｅｒ）
１３  受信部
１４  データ出力部
１５  データ入力部
１６  送信部
１７  ＣＱＩ算出部
１８  アンテナバー表示部
１９  モニタ画面
２０  アンテナバーアイコン
２１  アイコン
【図１】
2008085513.tif 000003
【図２】
2008085513.tif 000004
【図３】
2008085513.tif 000005
【図４】
2008085513.tif 000006
【図５】
2008085513.tif 000007